(57)【要約】【課題】  プロジェクタの光源に電力を供給する光源駆動方法と、その光源駆動方法を用いたプロジェクタを提供することを目的とする。【解決手段】  光を出射する光源としてのランプ２と、ランプ２を駆動するための電力を供給する光源駆動部としてのランプ駆動電力制御部３と、投写した画像の調整を行うために投写した画像を受光して画像データを取得する画像取得部としての撮像部７と、動作基準となる信号を発生する同期信号発生部５とを備える。そして、同期信号発生部５は、ランプ駆動電力制御部３の電流出力の動作タイミングを決める第１の動作信号と、撮像部７が投写した画像を受光して画像データを取得する動作タイミングを決める第２の動作信号とを発生し、ランプ駆動電力制御部３および撮像部７が同期して動作する。【選択図】      図１
2006010946.tif 000002
【特許請求の範囲】
【請求項１】
画像を投写するプロジェクタの光源駆動方法であって、
光源に電力を供給する駆動波形の制御と、前記投写した画像の調整を行うために前記投写した画像を受光して画像データを取得する制御とを同期させることを特徴とする光源駆動方法。
【請求項２】
請求項１に記載のプロジェクタの光源駆動方法であって、
動作基準となる信号を発生する同期信号発生工程を備えて、
前記同期信号発生工程で発生した前記信号に同期して、光源を駆動するための電力を供給する光源駆動部および前記投写した画像の調整を行うために前記投写した画像を受光して画像データを取得する画像取得部が動作することを特徴とする光源駆動方法。
【請求項３】
請求項１または請求項２に記載のプロジェクタの光源駆動方法であって、
前記画像取得部は、前記光源に電力を供給する駆動波形の制御と同期して、同じ駆動波形の期間で前記画像データを取得し、
前記光源駆動部は、前記画像取得部が前記画像データを取得した後に、前記光源を点灯させたまま電流を変化させることを特徴とする光源駆動方法。
【請求項４】
画像を投写するプロジェクタであって、
光源に電力を供給する駆動波形の制御と、前記投写した画像の調整を行うために前記投写した画像を受光して画像データを取得する制御とを同期させることを特徴とするプロジェクタ。
【請求項５】
請求項４に記載のプロジェクタであって、
光を出射する光源と、
光源を駆動するための電力を供給する光源駆動部と、
前記投写した画像の調整を行うために前記投写した画像を受光して画像データを取得する画像取得部と、
動作基準となる信号を発生する同期信号発生部とを備え、
前記同期信号発生部は、前記光源駆動部の電流出力の動作タイミングを決める第１の動作信号と、前記画像取得部が前記投写した画像を受光して画像データを取得する動作タイミングを決める第２の動作信号とを発生し、前記光源駆動部および前記画像取得部が同期して動作することを特徴とするプロジェクタ。
【請求項６】
請求項４または請求項５に記載のプロジェクタであって、
前記画像取得部は、前記光源に電力を供給する駆動波形の制御と同期して、同じ駆動波形の期間で前記画像データを取得し、
前記光源駆動部は、前記画像取得部が前記画像データを取得した後に、前記光源を点灯させたまま電流を変化させることを特徴とするプロジェクタ。
【発明の詳細な説明】
【技術分野】
【０００１】
本発明は、プロジェクタの光源に電力を供給する光源駆動方法、およびその光源駆動方法を用いたプロジェクタに関するものである。
【背景技術】
【０００２】
プロジェクタの光源は、一般に放電方式のランプを使用して高輝度の光を出射させている。しかし、ランプの電極間における電子の放電を長時間持続すると放電の軌跡が不安定となり、投写画像にチラツキを発生させる。そこで、ランプに電力を供給し点灯（駆動）する光源駆動装置の側で、定期的に通常の電流と通常の電流に比べ大きな電流とを供給する駆動を行うことで、放電の軌跡を安定させチラツキを防止する機能を備えた光源駆動装置がある（特許文献１（図４）参照）。あるいは周期の初期に比べて多くの電流を流すことも考えられている（特許文献２（図３）〜（図６）参照）。
【０００３】
また、プロジェクタにおいて、投写画像のオートフォーカス方法として、スクリーンに投写したテストパターンをモニタカメラで撮像し、その撮像した撮影像（画像データ）の水平信号の振幅の波高値の高いところを検出することでフォーカス位置を求める方法が提案されている（特許文献３参照）。
【０００４】
【特許文献１】特表平１０−５０１９１９号公報
【特許文献２】特表２００２−５３２８６７号公報
【特許文献３】特開２０００−２４１８７４号公報
【発明の開示】
【発明が解決しようとする課題】
【０００５】
ここで、特許文献１の投写画像のチラツキを防止した光源駆動装置を用いて、特許文献３のオートフォーカス調整を行った場合、モニタカメラが、光源駆動装置の出力する駆動波形の周期の中で電流を変化させることによる輝度の増加を感知するため、撮像した画像データにチラツキが発生して、各画像データの明るさが不安定となる。よって、画像データの明度差を用いるオートフォーカス方法を使用する場合には、正確な処理が行えないという課題がある。
この明るさの不安定さを回避するためには、フォーカスレンズを停止させた状態で複数枚の映像を撮影して平均値を算出する方法も考えられ実行されている。しかし、フォーカスを合せるまでに時間がかかり、手動によるフォーカス調整の方が短時間で行えることになりかねない。
【０００６】
また、画像データの明るさの不安定さを承知して、フォーカスレンズを移動させながら、順次、明度差の増減判定を行っても良いが、フォーカス精度は著しく低下してしまう。
画像データの明るさの不安定さを回避するために、駆動波形の周期の中で定期的に通常の電流に比べ大きな電流を供給する駆動を行わない場合は、上述したように、投写画像にチラツキが発生してしまい、投写画像を見るユーザーにとっては、見づらい画像となる。そのため、駆動波形の周期の中で定期的に通常の電流に比べ大きな電流を供給する駆動を必ず行う必要がある。
【０００７】
本発明は、上記課題に鑑みてなされたものであり、プロジェクタの光源に電力を供給する光源駆動方法と、その光源駆動方法を用いたプロジェクタを提供することを目的とする。
【課題を解決するための手段】
【０００８】
上述した目的を達成するために、本発明は、画像を投写するプロジェクタの光源駆動方法であって、光源に電力を供給する駆動波形の制御と、投写した画像の調整を行うために投写した画像を受光して画像データを取得する制御とを同期させることを特徴とする。
【０００９】
このようなプロジェクタの光源駆動方法によれば、駆動波形の制御と画像データの取得の制御とが同期して動作するため、光源に電力を供給する様々な駆動波形に対して影響を受けないタイミングで投写画像を取得できる。
【００１０】
また、本発明の好ましい態様によれば、プロジェクタの光源駆動方法であって、動作基準となる信号を発生する同期信号発生工程を備えて、同期信号発生工程で発生した信号に同期して、光源を駆動するための電力を供給する光源駆動部および投写した画像の調整を行うために投写した画像を受光して画像データを取得する画像取得部が動作することを特徴とする。
このようなプロジェクタの光源駆動方法によれば、同期信号発生工程は、動作基準となる信号を発生し、その信号に同期して、光源駆動部および画像取得部が動作する。そのため、画像取得部は、光源駆動部の様々な出力電流に対して各画像データが影響されないタイミングで投写画像を取得できる。
【００１１】
また、本発明の好ましい態様によれば、プロジェクタの光源駆動方法であって、画像取得部は、光源に電力を供給する駆動波形の制御と同期して、同じ駆動波形の期間で画像データを取得し、光源駆動部は、画像取得部が画像データを取得した後に、光源を点灯させたまま電流を変化させることを特徴とする。
【００１２】
このようなプロジェクタの光源駆動方法によれば、画像取得部は、駆動波形の制御と同期することで、同じ駆動波形の期間で画像データを取得することができる。そして、光源駆動部は、画像取得部が画像データを取得した後に、光源を点灯させたまま電流を変化させることができる。それにより、例えば画像データを取得後に、画像データを取得する状態での電流に比べて高い電流に変化させることで光源を駆動することにより、光源の電極に対して放電軌跡を安定させ、投写画像のチラツキを防止できる。また、変化させる電流は、高い電流のみでなく、他の必要な電流値に設定して変化させることもできるため、光源の仕様や性能、その他光学系の性能および投写画像の投写画質などに対する電流値の影響を確認して電流を変化できる。
取得する画像データに関しては、電流が変化する前において、駆動波形の制御と同期して、同じ駆動波形の期間で画像データを取得することで、安定した明るさの画像データを得ることができる。
【００１３】
また、上述した目的を達成するために、本発明は、画像を投写するプロジェクタであって、光源に電力を供給する駆動波形の制御と、投写した画像の調整を行うために投写した画像を受光して画像データを取得する制御とを同期させることを特徴とする。
【００１４】
このようなプロジェクタによれば、駆動波形の制御と画像データの取得の制御とが同期して動作するため、光源に電力を供給する様々な駆動波形に対して影響を受けないタイミングで投写画像を取得できる。
【００１５】
また、本発明の好ましい態様によれば、画像を投写するプロジェクタであって、光を出射する光源と、光源を駆動するための電力を供給する光源駆動部と、投写した画像の調整を行うために投写した画像を受光して画像データを取得する画像取得部と、動作基準となる信号を発生する同期信号発生部とを備え、同期信号発生部は、光源駆動部の電流出力の動作タイミングを決める第１の動作信号と、画像取得部が投写した画像を受光して画像データを取得する動作タイミングを決める第２の動作信号とを発生し、光源駆動部および画像取得部が同期して動作することを特徴とする。
【００１６】
このようなプロジェクタによれば、光源により光を出射し、光源駆動部は光源を駆動するための電力を供給する。画像取得部は、投写した画像の調整を行うために投写した画像を受光して画像データを取得する。また、同期信号発生部は、動作基準となる信号を発生する。そして、同期信号発生部は、光源駆動部の電流出力の動作タイミングを決める第１の動作信号と、画像取得部が投写した画像を受光して画像データを取得する動作タイミングを決める第２の動作信号とを発生することで、光源駆動部および画像取得部が同期して動作することができる。そのため、画像取得部は、光源駆動部の様々な出力電流に対して画像データが影響されないタイミングで投写画像を取得できる。よって、画像取得部が撮像した各画像データの明るさを一定にすることができ、投写画像の正確な調整を行うことができる。
【００１７】
また、本発明の好ましい態様によれば、画像を投写するプロジェクタであって、画像取得部は、光源に電力を供給する駆動波形の制御と同期して、同じ駆動波形の期間で画像データを取得し、光源駆動部は、画像取得部が画像データを取得した後に、光源を点灯させたまま電流を変化させることを特徴とする。
【００１８】
このようなプロジェクタによれば、画像取得部は、駆動波形の制御と同期することで、同じ駆動波形の期間で画像データを取得することができる。そして、光源駆動部は、画像取得部が画像データを取得した後に、光源を点灯させたまま電流を変化させることができる。それにより、例えば画像データを取得後に、画像データを取得する状態での電流に比べて高い電流に変化させることで光源を駆動することにより、光源の電極に対して放電軌跡を安定させ、投写画像のチラツキを防止できる。また、変化させる電流は、高い電流のみでなく、他の必要な電流値に設定して変化させることもできるため、光源の仕様や性能、その他光学系の性能および投写画像の投写画質などに対する電流値の影響を確認して電流を変化できる。
取得する画像データに関しては、電流が変化する前において、駆動波形の制御と同期して、同じ駆動波形の期間で画像データを取得することで、安定した明るさの画像データを得ることができる。
【発明を実施するための最良の形態】
【００１９】
以下、本発明の実施形態を図面に基づいて説明する。
（実施形態）
【００２０】
図１は、プロジェクタに光源駆動部としてのランプ駆動電力制御部と画像取得部としての撮像部との同期を取るための同期信号発生部を用いてオートフォーカス調整を行う場合の概略構成図である。
【００２１】
図１を用いて、プロジェクタ１の構成を説明する。
プロジェクタ１は、光を出射する光源としてのランプ２と、ランプ２に電力を供給する光源駆動部としてのランプ駆動電力制御部３と、ランプ２の出射光を偏光変換、色分離、変調、合成を行う光学系（図示省略）と、合成光を拡大投写する投写レンズ４とを備えている。そして、壁などに設置されたスクリーン１００に合成光としての画像を投写する。
【００２２】
また、プロジェクタ１は、同期信号発生部５を構成するクロックジェネレータを備えて、ランプ駆動電力制御部３と後述する撮像部７とがそれぞれ同期して駆動するための基準信号を、それぞれの仕様に応じて発生している。具体的には、同期信号発生部５は、ランプ駆動電力制御部３に対して電流出力の動作タイミングを決める第１の動作信号を発生し、撮像部７（後述する）に対して投写画像を受光して画像データを取得する動作タイミングを決める第２の動作信号を発生する。また、同期信号発生部５は、プロジェクタ１の動作全体を制御するＣＰＵ（Central Processing Unit）６の動作基準となる信号も発生している。
【００２３】
そして、オートフォーカス調整を行うための構成として、プロジェクタ１は、スクリーン１００に投写された画像を撮像する撮像部７と、撮像された画像を画像データとして記憶する画像用メモリ８と、その画像データを解析する画像処理部９とを備えている。また、投写画像の焦点を合せる投写レンズ４を構成するフォーカスレンズ４１と、フォーカスレンズ４１を駆動するフォーカスレンズ駆動部１０と、フォーカスレンズ４１の位置を検出するフォーカスレンズ位置検出部１１とを備えている。
【００２４】
本実施形態では、撮像部７としてＣＣＤ（Charge Coupled Device：電荷結合素子）カメラを採用し、プロジェクタ本体の投写側前面に設置されている。また、フォーカスレンズ位置検出部１１として光電式のロータリーエンコーダを採用し、フォーカスレンズ４１の位置（移動距離）を検出している。フォーカスレンズ駆動部１０は、ＤＣ（直流）モータを採用して、フォーカスレンズ４１を駆動している。これらの制御は、ＣＰＵ６が行っている。
なお、図１の構成に基づいたオートフォーカス調整に関しての説明は、図４で詳細に説明する。
【００２５】
図２は、ランプ駆動電力制御部のランプ駆動電流波形と撮像部のシャッター開放タイミングに関して、従来と本実施形態とを比較した図である。図２を用いて、従来と本実施形態との違いを説明する。
【００２６】
図２（ａ）は、ランプ駆動電力制御部と撮像部とを非同期の別々の信号で駆動する従来の場合の、ランプ駆動電流と撮像部が投写画像を撮像するタイミングを示す図である。ここで、ランプ駆動電流において、横軸方向は時間、縦軸方向は出力電流を示している。また出力電流は、交流電流であり極性を反転（＋/−）させ周期Ｔで繰返す。詳細には、ランプ２の仕様に応じた駆動電流である電流Ｉ１を時間Ｔ１だけ出力し、電流が＋から−に切替る直前において、一瞬である時間Ｔ２の間、電流Ｉ１に対して加算した大きい電流（以降、高電流という）の電流Ｉ２を出力する。この出力パターンを−側においても実施し、＋/−を１周期Ｔとして繰返し出力し、ランプ２に電流を供給することになる。
【００２７】
この時、撮像部７であるＣＣＤカメラにより投写画像を撮像した場合、シャッター開放タイミングとして図示するように、ランプ駆動電流の電流Ｉ１の立上りと同時にＣＣＤカメラのシャッターを時刻ｔ１からｔ２の間、開放することになる。次のＣＣＤカメラによる投写画像のシャッター開放タイミングは、時刻ｔ３からｔ４の間となり、前回のシャッター開放タイミングでのランプ駆動電流波形に対して異なった電流波形となる。
このように、ランプ駆動電力制御部３と撮像部７とを非同期の別々の信号で駆動した場合には、撮像部７のシャッター開放タイミングに対するランプ駆動電流の波形が一定せず、高電流Ｉ２がシャッター開放期間に入ったり入らなかったりする。それにより、撮像部７で撮像した画像データの明るさが不安定となっていた。
【００２８】
図２（ｂ）は、本実施形態のランプ駆動電力制御部と撮像部とを同期信号発生部を用いて同期させて駆動した場合の、ランプ駆動電流と撮像部が投写画像を撮像するタイミングを示す図である。
この時、ＣＣＤカメラにより投写画像を撮像した場合、シャッター開放タイミングとして図示するように、ランプ駆動電流の電流Ｉ１の立上りと同期してＣＣＤカメラのシャッターを時刻ｔ５からｔ６の間、開放することになる。また、時刻ｔ６はランプ駆動電流の高電流Ｉ２の出力開始（立上り）するのと同期している。次のＣＣＤカメラによる投写画像のシャッター開放タイミングは、時刻ｔ７からｔ８の間となり、前回のシャッター開放タイミングでのランプ駆動電流波形と同様に、ランプ駆動電流の電流Ｉ１の立上りと同期し、高電流Ｉ２駆動の立上りに同期したタイミングとなる。
【００２９】
このように、ランプ駆動電力制御部３と撮像部７とを同期させて駆動した場合は、撮像部７のシャッター開放のタイミングに対する、ランプ駆動電流の波形が常に一定となるため、撮像部７で撮像した画像データに取込まれる光量は一定となり、各画像データの明るさを安定させることができる。
【００３０】
図３は、オートフォーカス調整を行う場合、投写画像を撮像部が撮像した画像データの明度差に関して、従来と本実施形態とを比較した図である。また、図３は、フォーカスレンズをスクリーン１００までの距離より近距離で焦点が合う位置から遠距離で焦点が合う位置まで等速で移動させた時の、撮像部の撮像した画像データの明度差を時間軸に対して表している。
図３を用いて、図２で説明したように、ランプ駆動電力制御部３と撮像部７とを非同期の別々の信号で駆動した従来の場合（図２（ａ）で示す場合）と、同期信号発生部５を用いて同期させて駆動した場合（図２（ｂ）で示す場合）とで、撮像部の撮像した画像データの明度差の変化を説明する。
【００３１】
図３（ａ）は、ランプ駆動電力制御部と撮像部とを非同期の別々の信号で駆動した従来の場合の画像データの明度差を表した図である。図３（ｂ）は、同期信号発生部５が発生する同期した別々の信号（上述した第１及び第２の動作信号）で駆動した場合の画像データの明度差を表した図である。
【００３２】
図３（ａ）において、ランプ駆動電力制御部３と撮像部７とを非同期の別々の信号で駆動した従来の場合は、フォーカスレンズ４１が移動する途中で撮像された各画像データに取込まれる受光量がほぼ一定とはならない。そのため、チラツキ防止対策でランプ２が一瞬明るくなった瞬間を含むタイミングで撮像された相対的に受光量の高い画像による明度差のピークが、図中の時刻ｔ11，ｔ12，ｔ13，ｔ14で示す部分にランダムに発生する。そのため、ＣＰＵ６が、画像処理部９での解析結果を基に、明度差の総和の最大値を判断する場合、焦点が合った位置なのか否かを判断できなくなり、オートフォーカス調整の精度に影響が出てしまう。図中のｔ10の位置が焦点が合う位置である。
【００３３】
図３（ｂ）において、同期信号発生部５を用いてランプ駆動電力制御部３と撮像部７とを同期して駆動した場合は、フォーカスレンズ４１が移動する途中で撮像された各画像データに取込まれる受光量がほぼ等しくなる。そのため、画像データの明るさが安定し、図示するようにフォーカスレンズ位置（時間）に対する明度差の変化も焦点位置ｔ10をピークとする一様な曲線となる。そのため、明度差の変化は、焦点が合い始めると徐々に明度差が上昇して、焦点が合った位置ｔ10で最大となり、焦点がずれると徐々に明度差が低下していくことになる。
【００３４】
このように、オートフォーカス調整を行う場合には、同期信号発生部５を用いてランプ駆動電力制御部３と撮像部７とを同期駆動することで、図３（ｂ）に示す一様な明度差の変化となり、正確にオートフォーカス調整が行えることになる。
【００３５】
図４は、本実施形態の図１の構成を用いてオートフォーカス調整を行う場合のフローチャートである。図４及び図１を用いてオートフォーカス調整を説明する。
【００３６】
ステップＳ１００では、ユーザーが、プロジェクタ１に備わる入力部（図示省略）から入力操作を行い、その操作信号をＣＰＵ６が受取り、プロジェクタ１を起動する。
ステップＳ１０１では、ＣＰＵ６は、ランプ２を発光させるためにランプ駆動電力制御部３を駆動するための信号を送る。その信号を受け、ランプ駆動電力制御部３は、同期信号発生部５の発生する信号（第１の動作信号）に同期して、電流Ｉ１及び高電流Ｉ２からなる駆動波形の電流出力を開始する。（図２に示すランプ駆動波形と同様）。ランプ２は、ランプ駆動電力制御部３からの出力電流の供給により発光を開始する。
【００３７】
ステップＳ１０２では、ユーザーが、プロジェクタ１に備わる入力部からオートフォーカス調整するための入力操作を行い、その操作信号をＣＰＵ６が受取り、オートフォーカス調整が開始される。
【００３８】
そして、ステップＳ１０３では、ＣＰＵ６は、オートフォーカス調整用のフォーカス用パターンを投写レンズ４により、スクリーン１００に投写して、オートフォーカス調整が開始される。そして、ＣＰＵ６は、オートフォーカス調整用のフォーカス用パターンを投写レンズ４により、スクリーン１００に投写する。
フォーカス用パターンとして、本実施形態では、白色の画像の平面上に、黒色の直線を複数本並べて縞パターンを構成した画像を用いている。
ステップＳ１０４以降のステップで本実施形態でのオートフォーカス調整方法を説明する。
【００３９】
ステップＳ１０４では、フォーカスレンズ駆動部１０は、スクリーン１００よりも近距離で焦点が合う位置から、フォーカスレンズ４１の駆動を開始する。ステップＳ１０５では、フォーカスレンズ位置検出部１１は、フォーカスレンズ４１の位置を検出する。ステップＳ１０６では、撮像部７であるＣＣＤカメラは、同期信号発生部５の発生する信号（第２の動作信号）に同期して、位置検出したフォーカスレンズ位置での投写画像であるフォーカス用パターンを撮像し、画像データとして取得する。ステップＳ１０７では、撮像されたフォーカス用パターンの画像データを画像用メモリ８に記憶する。
【００４０】
ステップＳ１０８では、画像処理部９は、画像用メモリ８に記憶した画像データに基づき、一枚の画像データの全ピクセルに対して、隣接するピクセルの明度差を検出する。ステップＳ１０９では、ＣＰＵ６は、検出された明度差に基づいて明度差の絶対値の総和を計算する。ステップＳ１１０では、ＣＰＵ６は、計算結果を前の画像データに対して比較し、今回の総和が前回の総和に対して小さくなったか否か（前回の総和が最大となったか否か）を判断する。ここで、小さくならない場合には、再度ステップＳ１０５に移行し、フォーカスレンズ４１の位置検出から行う。そして、ステップＳ１１０で明度差の絶対値の総和が前回の総和に対して小さくなったと判断するまでステップＳ１０５からステップＳ１１０を繰返す。このようにして、明度差の絶対値の総和が最大となるフォーカスレンズ位置を探すことになる。
【００４１】
ステップＳ１１０で、ＣＰＵ６は、今回の明度差の絶対値の総和が前回よりも小さくなった（前回の総和が最大となった）と判断した場合、前回の画像データに対するフォーカスレンズ位置を焦点が合った位置と判断することになる。その時点で、ＣＰＵ６の信号によりフォーカスレンズ駆動部１０は、フォーカスレンズ４１の移動を止める。そして、ステップＳ１１１に移行して、ＣＰＵ６は、焦点が合った前回のフォーカスレンズ位置になるように、フォーカスレンズ駆動部１０を駆動してフォーカスレンズ４１を移動させる。これにより、ステップＳ１１２に移行し、オートフォーカス調整が終了することになる。
この一連のフローチャートにより、オートフォーカス調整が行われる。
【００４２】
図４において、同期信号発生工程は、ステップＳ１０１、ステップＳ１０６の各ステップにおいて、ランプ駆動電力制御部３の駆動タイミングや、撮像部７の撮像タイミングを同期させる工程に対応する。また光源駆動工程は、ランプ駆動電力制御部３の同期した駆動タイミングに応じて電流を出力する工程に対応する。
【００４３】
上述した、実施形態によれば以下の効果が得られる。
（１）従来は、オートフォーカス調整を行う場合、画像データの明るさがバラツクため、明度差の絶対値の総和の最大値を比較判断する場合、フォーカスレンズ位置の測定箇所毎に複数枚の画像データが必要となり、その画像データを解析して平均値を出すことで明るさのバラツキを平滑化し、明度差の総和を計算していた。しかし、本実施形態のプロジェクタ１によれば、ランプ駆動電力制御部３と撮像部７とが、動作の基準となる信号（第１及び第２の動作信号）を発生する同期信号発生部５を用いて、それぞれが同期して駆動することができるため、撮像部７のシャッター開放時間と、それに対応するランプ駆動電流波形を同期させることができる。それにより、撮像部７で撮像される画像データの明るさを常に一定にすることができるため、画像データ間の明るさのバラツキを考慮する必要がなくなり、オートフォーカス調整を正確に行うことができる。
【００４４】
（２）従来は、オートフォーカス調整を行う場合、フォーカスレンズ位置の測定箇所毎に複数枚の画像データが必要であった。しかし、本実施形態のプロジェクタ１によれば、明るさが一定の画像データを得られるため、測定箇所毎に必要な画像データの枚数は１枚で良く、オートフォーカス調整を高速に行うことができる。
【００４５】
（３）従来は、オートフォーカス調整を行う場合、ランプ２の電極間の放電軌跡を安定させ投写画像のチラツキを防止するための高電流Ｉ２が、撮像部で撮像される画像データの明るさに影響を与えていた。しかし、本実施形態のプロジェクタ１によれば、同期信号発生部５を用いることで、撮像部７のシャッター開放時間と、ランプ駆動電力制御部３のランプ駆動電流波形との同期を取ることができる。そのため、シャッター開放時間が電流Ｉ１を出力する駆動波形の期間に同期させることができるため、画像データの明るさを常に一定にすることができる。また、シャッター開放時間が高電流Ｉ２を取込むタイミングであっても、必ずランプ駆動電流波形は同期させることができるため、画像データの明るさを常に一定にすることができる。よって、高電流Ｉ２の影響を考慮せずオートフォーカス調整を行うことができる。
【００４６】
なお、本発明は、上述した実施形態に限定されず、上述した実施形態に種々の変更や改良など加えることが可能である。変形例を以下に述べる。
【００４７】
（変形例１）前記実施形態では、プロジェクタ１及びプロジェクタ１を構成する撮像部７の基準信号としてのクロックジェネレータを用いて、ランプ駆動電力制御部３の基準信号としている。しかし、ランプ駆動電力制御部３に備えられているクロックジェネレータを用いて同期信号発生部を構成し、撮像部７の基準信号としても良い。
【００４８】
（変形例２）前記実施形態では、ランプ２の電極間の放電軌跡を安定させ投写画像のチラツキを防止するための高電流Ｉ２を加算した駆動波形を用いて説明しているが、高電流Ｉ２を加算しない、電流Ｉ１の駆動波形のみを用いた場合にも適用できることは言うまでもない。その場合、撮像部７のシャッター開放時間と、ランプ駆動電力制御部３のランプ駆動電流波形との同期を取ることで、出力電流の極性の変化による画像データへの明るさなどの影響をも考慮したオートフォーカス調整が行える。よって、電流Ｉ１のみを用いた交番電流による駆動波形でのオートフォーカス調整に対して、更に正確な調整を行うことができる。
【００４９】
（変形例３）前記実施形態では、オートフォーカス調整用の画像データを取得した後に、光源を点灯させたまま、電流を一様の高電流Ｉ２に変化させている。しかし、これに限らず、一様でない電流値に変化させても良い。その場合、変化させる電流値は、光源の仕様や性能、その他光学系の性能および投写画像の投写画質などに対する電流値の影響を確認して設定することができる。
【００５０】
（変形例４）前記実施形態では、投写画像の調整を行う取得部としてＣＣＤカメラを用いて撮像部７を構成し、オートフォーカス調整を行っている。しかし、これに限らず、取得部として、受光素子を用いて受光部を構成し、投写画像の投写光量を測定して、投写画像の輝度調整を行っても良い。これにより、受光量が所定値より多い場合は、投写光量が多すぎるとして、プロジェクタ１は、ランプ２の輝度を下げる制御を行い、ユーザーに見易い光量の投写画像に調整することができる。この場合も前記実施形態と同様に、ランプ駆動電力制御部３と取得部である受光素子との同期信号を発生する同期信号発生部５を備えることで、受光素子の光量を取込むタイミングとランプ駆動電流波形との同期が取れるため、受光素子の取込む光量にランプ駆動電流によるバラツキがない安定した光量を取得することができる。
【００５１】
（変形例５）前記実施形態では、ランプ駆動電力制御部３と撮像部７との同期信号を発生する同期信号発生部５を備えたプロジェクタ１を用いて、オートフォーカス調整を行っている。しかし、これに限らず、オートズーム調整を行うことでも良い。
オートズーム調整を行う場合は、図１で示したフォーカスレンズ４１をズームレンズに変更し、フォーカスレンズ駆動部１０をズームレンズ駆動部に変更し、フォーカスレンズ位置検出部１１をズームレンズ位置検出部に変更した構成によりオートズーム調整を行うことができる。具体的には、投写レンズ４はズーム用パターンを投写し、その投写画像を撮像部７が撮像し、画像処理部９がその画像データに基づいて、全ピクセルに対し明度差を検出する。そして、ＣＰＵ６は、その検出結果に基づいて、ズーム用パターンの範囲及びスクリーン１００の外形をそれぞれ所定の閾値により判断する。そして、ズーム用パターンの中にスクリーン１００の外形が入る場合、ＣＰＵ６は、ズームレンズの移動量を計算して、ズームレンズ駆動部及びズームレンズ位置検出部を駆動し、ズームレンズを移動することで、オートズーム調整が行われる。
同期信号発生部５がランプ駆動電力制御部３と撮像部７との同期信号を発生するため、ズーム用パターンを撮像した画像データに明るさのバラツキがないため、安定した画像データを取込むことができ、オートズーム調整を正確に、また高速に行うことができる。
【００５２】
（変形例６）前記実施形態により、ランプ駆動電力制御部３と撮像部７との同期信号を発生する同期信号発生部５を備えて、オートフォーカス調整及びオートズーム調整を行えるため、投写画像の台形歪補正にも使用することができる。具体的には、台形歪が発生する場合に、オートフォーカス調整により、プロジェクタ１のスクリーン１００に対しての距離及び角度が算出でき、それにオートズーム調整による補正を加えることで、台形歪補正が行える。その時、撮像部７で撮像された各画像データは明るさが安定するため、高速で正確な台形歪補正を行うことができる。
【００５３】
（変形例７）前記実施形態における、ランプ駆動電力制御部３と撮像部７との同期信号を発生する同期信号発生部５を備えたプロジェクタ１は、透過型液晶方式のプロジェクタである。しかし、これに限らず、ＤＬＰ（登録商標）（Digital Light Processing）方式、および、反射型液晶方式であるＬＣＯＳ（Liquid Crystal On Silicon）方式などを採用したプロジェクタに実施することが可能である。これにより、様々な方式を採用するプロジェクタに対して、オートフォーカス調整およびオートズーム調整など行う場合に、ランプ駆動電力制御部３のランプ駆動電流波形と撮像部７のシャッター開放タイミングの同期を取ることができ、明るさのチラツキのない画像データを得ることが可能となる。
【００５４】
（変形例８）前記実施形態では、ランプ駆動電力制御部３と撮像部７との同期信号を発生する同期信号発生部５を備えたたことで、オートフォーカス調整時に、撮像した画像データがチラツキのない安定した明るさにできる。しかし、オートフォーカス調整に限られることなく、例えば、各色（赤、緑、青、白、黒など）を壁などの不特定の投写対象面に投写して、その投写対象面の持つ色に対する本来の色との差を検出し、逆補正して投写するような投写対象面に対する色補正機能を実行する場合などにも用いることができる。これにより、従来は、明るさのバラツキにより、画像データが複数枚必要であったが、一枚で良くなり、投写対象面に対する色補正機能の実行スピードを向上できる。
【００５５】
（変形例９）前記第１の実施形態では、オートフォーカス調整方法として、画像データの全ピクセルに対して隣接する明度差の絶対値の総和を計算している。しかし、この方法に限られることなく、例えば、画像データの全ピクセルに対してではなく、特定のピクセルを設定して、そのピクセルに対してのみ隣接する明度差の絶対値の総和を計算しても良い。これにより、更に高速のオートフォーカス調整を行うことが可能になる。
また、オートフォーカス調整方法として、画像データにおいて単純に最も明るい箇所の明度が最大となるフォーカスレンズ４１の位置を焦点が合った位置とする方法でも良い。または、画像データにおいて最も明るい箇所と最も暗い箇所の明度差または比が最大となるフォーカスレンズ４１の位置を焦点が合った位置とする方法でも良い。または、画像データの隣接するピクセルの明度差の絶対値のべき乗の総和が最大となるフォーカスレンズ４１の位置を焦点が合った位置とする方法でも良い。
以上説明したように、様々なフォーカス調整方法を用いることができる。
【図面の簡単な説明】
【００５６】
【図１】本発明の実施形態に係るプロジェクタの概略構成図。
【図２】ランプ駆動電流波形とシャッター開放タイミングに関して従来と本実施形態とを比較した図。
【図３】画像データの明度差に関して従来と本実施形態とを比較した図。
【図４】オートフォーカス調整を行う場合のフローチャート。
【符号の説明】
【００５７】
１…プロジェクタ、２…光源としてのランプ、３…光源駆動部としてのランプ駆動電力制御部、４…投写レンズ、５…同期信号発生部、６…ＣＰＵ、７…画像取得部としての撮像部、８…画像用メモリ、９…画像処理部、１０…フォーカスレンズ駆動部、１１…フォーカスレンズ位置検出部、４１…フォーカスレンズ。
【図１】
2006010946.tif 000003
【図２】
2006010946.tif 000004
【図３】
2006010946.tif 000005
【図４】
2006010946.tif 000006